(57)【要約】【課題】簡易基礎４０にて貯湯タンクユニット１を設置した直後に、その貯湯タンクユニット１下に配管１０２・１０３を取り回しても、その配管１０２・１０３が未乾燥のコンクリートＣと接触するのを防止する。【解決手段】貯湯タンクユニット１と簡易基礎４０との間に配管支持部材１４を設け、配管支持部材１４にて配管１０２・１０３をコンクリートＣと接触しないように支持している。  これによれば、配管支持部材１４を設けることで、簡易基礎４０にて貯湯タンクユニット１を設置した直後に、その貯湯タンクユニット１の下に配管１０２・１０３を取り回しても、その配管１０２・１０３を空中に支持して未乾燥のコンクリートＣと接触するのを防止することができる。また、配管１０２・１０３の収まりが良くなり、外観の見栄えの向上を図ることができる。【選択図】図２
2007198716.tif 000002
【特許請求の範囲】
【請求項１】
水加熱手段（２０）によって加熱された給湯用の温水を貯える貯湯タンクユニット（１）であり、
強度部材（４１）間にコンクリート（Ｃ）を打設して成る簡易基礎（４０）を用いて設置され、
前記貯湯タンクユニット（１）に接続される配管（１０２、１０３）が前記貯湯タンクユニット（１）と前記簡易基礎（４０）との間を取り回されて前記配管（１０２、１０３）と打設された前記コンクリート（Ｃ）とが接触する可能性の有る施工において、
前記貯湯タンクユニット（１）と前記簡易基礎（４０）との間に配管支持部材（１４）を設け、前記配管支持部材（１４）にて前記配管（１０２、１０３）を前記コンクリート（Ｃ）と接触しないように支持したことを特徴とする貯湯タンクユニット。
【請求項２】
前記配管支持部材（１４）を螺子（１５）にて固定したことを特徴とする請求項１に記載の貯湯タンクユニット。
【請求項３】
前記螺子（１５）を側方からの締め付けとしたことを特徴とする請求項２に記載の貯湯タンクユニット。
【請求項４】
前記螺子（１５）を前記貯湯タンクユニット（１）本体部の下面側に締め付けるようにしたことを特徴とする請求項２に記載の貯湯タンクユニット。
【請求項５】
前記配管支持部材（１４）を前記貯湯タンクユニット（１）の本体部に固定したことを特徴とする請求項１に記載の貯湯タンクユニット。
【請求項６】
前記配管支持部材（１４）を前記貯湯タンクユニット（１）の脚部（１ａ）に固定したことを特徴とする請求項１に記載の貯湯タンクユニット。
【請求項７】
前記配管支持部材（１４）で複数本の前記配管（１０２、１０３）を支持できるようにしたことを特徴とする請求項１に記載の貯湯タンクユニット。
【請求項８】
前記配管支持部材（１４）で前記配管（１０２、１０３）を１本づつ支持するようにしたことを特徴とする請求項１に記載の貯湯タンクユニット。
【請求項９】
前記配管支持部材（１４）としてワイヤーを用いたことを特徴とする請求項１に記載の貯湯タンクユニット。
【請求項１０】
前記配管支持部材（１４）に前記配管（１０２、１０３）に合わせた受け部（Ｕ）を形成したことを特徴とする請求項１に記載の貯湯タンクユニット。
【請求項１１】
前記配管支持部材（１４）に孔部（Ｈ）を設け、その孔部（Ｈ）に前記配管（１０２、１０３）を通すことで支持したことを特徴とする請求項１に記載の貯湯タンクユニット。
【請求項１２】
前記配管支持部材（１４）を溶接（Ｗ）にて固定したことを特徴とする請求項１に記載の貯湯タンクユニット。
【請求項１３】
前記配管支持部材（１４）の弾性を利用して固定したことを特徴とする請求項１に記載の貯湯タンクユニット。
【請求項１４】
前記配管支持部材（１４）側を穴形状としたことを特徴とする請求項１３に記載の貯湯タンクユニット。
【請求項１５】
前記配管支持部材（１４）側を凸形状としたことを特徴とする請求項１３に記載の貯湯タンクユニット。
【請求項１６】
請求項１ないし請求項１５に記載の貯湯タンクユニットを用いたことを特徴とする貯湯式給湯装置。
【発明の詳細な説明】
【技術分野】
【０００１】
本発明は、水加熱手段によって加熱された給湯用の温水を貯える貯湯タンクユニット、およびその貯湯タンクユニットを用いた貯湯式給湯装置に関するものであり、特に、貯湯タンクユニットの設置に関するものである。
【背景技術】
【０００２】
給湯用の温水を貯える貯湯タンクを収納した貯湯タンクユニットは、安全上の観点から基礎に脚部を固定して設置される。その貯湯タンクユニットの基礎は、貯湯タンクの重量や重心高より所定の寸法や質量を必要とし、寸法の自由度や質量の大きさから一般的にはコンクリートが用いられている。そして設置においては、既設のコンクリート面を基礎に利用する場合と、新たにコンクリート基礎を打設する場合とに大別され、一戸建てなどにおいては新たにコンクリート基礎を打設する場合が多い。
【０００３】
図１４は、このコンクリート基礎Ｃへの貯湯タンクユニット１の設置例を示す部分図である。木枠などの型枠４２と、中に鉄骨４３とを組み、コンクリート基礎Ｃを打設する。その後、コンクリートが乾燥したら型枠４２を外して貯湯タンクユニット１を設置し、その脚部１ａにアンカー１３を打ち込んで固定するものである。このコンクリート基礎を打設する場合の施工上の問題点として、コンクリートの乾燥に時間を要すことがある。
【０００４】
季節や天候にもよるが、一般的には貯湯タンクユニット設置日の３日前にはコンクリートの打設を終える施工日程を組まなければならない。即ち工事業者は、コンクリート基礎の打設時と、コンクリート乾燥後の型枠除去・貯湯タンクユニットの設置・配管接続で少なくとも２回、同じ施工現場へ出向く必要がある。更に雨天があった場合はコンクリートの乾燥に時間が掛かるほか、雨天ではコンクリートの打設そのものが実施できず、施工日程が天候に左右されるという問題もある。
【０００５】
このような問題を解決するために最近採用され始めたものとして、簡易基礎がある。図１５は、簡易基礎４０の概要構成を示す斜視図であり、図１６は、簡易基礎４０への貯湯タンクユニット１の設置例を示す部分図である。コンクリートブロックなどの強度部材４１の間に型枠となる合成樹脂板４２を渡して鉄筋ともなるボルト４３でつなぎ、この強度部材４１と合成樹脂板４２とで囲まれた中にコンクリートＣを打設してコンクリート基礎を形成するものである。
【０００６】
この簡易基礎４０は、基本的にコンクリートを使用することに変わりはないが、強度部材４１を貯湯タンクユニット１の脚部１ａが載る部分に配置して貯湯タンクユニット１の満水重量にも耐える強度部分を構成しつつ、その強度部材４１を型枠の一部として中をコンクリートＣで埋めてコンクリート基礎を形成している。このため、型枠除去の手間を省くと共に、コンクリートの乾燥を待つことなく、簡易基礎を設置した当日に貯湯タンクユニットの設置から配管接続までを行うことができるというものである。
【０００７】
図１７は、図１６の貯湯タンクユニット１の設置手順を示す表である。まず基礎工事作業として、簡易基礎設置面の地ならし・地固めを行い、そこへ簡易基礎４０を設置し、簡易基礎４０内にコンクリートＣを打設（流し込み）する。次に、貯湯タンクユニット１の設置作業として、簡易基礎４０の補強部材４１上に貯湯タンクユニット１を載せ、その脚部１ａをアンカー１３で固定する。
【０００８】
次に、その他の機器の設置作業として、室外機やリモコンを設置して電線を接続する。次に、配管１０２・１０３の接続作業として、簡易基礎４０の未乾燥コンクリート上に板材を敷くなど、未乾燥コンクリート部の保護処置を行ってから配管１０２・１０３を接続する。
【０００９】
そして後日、保護処置部材の撤去として、コンクリートＣの打設から３日後以降に板材などを撤去することとなる。なお、この撤去までの日程は、降雨などによってコンクリートＣの乾燥の進行が変わってくるため、それまでの間の天候を考慮して行うこととなる。
【発明の開示】
【発明が解決しようとする課題】
【００１０】
しかしながら、簡易基礎を用いても生コンクリートを使用するため、貯湯タンクユニットと簡易基礎との間に配管を取り回す場合において、図６に示すように、配管１０２・１０３の一部が未乾燥のコンクリートＣと接触し、そのままの状態でコンクリートＣが固まるという問題が発生する場合ある。
【００１１】
このため、配管接続のみを後日のコンクリート乾燥後としたり、コンクリートが乾燥するまで間に合せの配管支えを渡して配管が未乾燥のコンクリートに触れないようにしておき、後日その配管支えを撤去したりしている。このように、配管の取り回し方によっては上記の問題よって簡易基礎の利点を生かしきれない場合がある。
【００１２】
本発明は上記従来の問題に鑑みて成されたものであり、その目的は、簡易基礎にて貯湯タンクユニットを設置した直後に、その貯湯タンクユニット下に配管を取り回しても、その配管が未乾燥のコンクリートと接触するのを防止することのできる貯湯タンクユニットおよび貯湯式給湯装置を提供することにある。
【課題を解決するための手段】
【００１３】
本発明は上記目的を達成するために、請求項１ないし請求項１６に記載の技術的手段を採用する。すなわち、請求項１に記載の発明では、水加熱手段（２０）によって加熱された給湯用の温水を貯える貯湯タンクユニット（１）であり、
強度部材（４１）間にコンクリート（Ｃ）を打設して成る簡易基礎（４０）を用いて設置され、
貯湯タンクユニット（１）に接続される配管（１０２、１０３）が貯湯タンクユニット（１）と簡易基礎（４０）との間を取り回されて配管（１０２、１０３）と打設されたコンクリート（Ｃ）とが接触する可能性の有る施工において、
貯湯タンクユニット（１）と簡易基礎（４０）との間に配管支持部材（１４）を設け、配管支持部材（１４）にて配管（１０２、１０３）をコンクリート（Ｃ）と接触しないように支持したことを特徴としている。
【００１４】
この請求項１に記載の発明によれば、配管支持部材（１４）を設けることで、簡易基礎（４０）にて貯湯タンクユニット（１）を設置した直後に、その貯湯タンクユニット（１）の下に配管（１０２、１０３）を取り回しても、その配管（１０２、１０３）を空中に支持して未乾燥のコンクリート（Ｃ）と接触するのを防止することができる。
【００１５】
このため、配管（１０２、１０３）の接続のみを後日のコンクリート（Ｃ）乾燥後としたり、コンクリート（Ｃ）が乾燥するまで間に合せの配管支えを渡して配管（１０２、１０３）が未乾燥のコンクリート（Ｃ）に触れないようにしておき、後日その配管支えを撤去したりする作業を不要とできる。
【００１６】
つまり、施工現場にもう一度足を運ぶ必要が無くなり、１度で貯湯タンクユニット（１）の設置から配管（１０２、１０３）の接続までを行える簡易基礎の利点を生かすことができる。また、配管（１０２、１０３）の収まりが良くなり、外観の見栄えの向上を図ることができる。
【００１７】
また、請求項２に記載の発明では、請求項１に記載の貯湯タンクユニットにおいて、配管支持部材（１４）を螺子（１５）にて固定したことを特徴としている。この請求項２に記載の発明によれば、必要に応じて配管支持部材（１４）を取り付けることができる。また、配管支持部材（１４）が必要なのはコンクリート（Ｃ）が乾燥するまでの間であるため、施工現場へ行ったついでに不要となった配管支持部材（１４）を取り外して他の施工時に使い回しすることもできる。
【００１８】
また、請求項３に記載の発明では、請求項２に記載の貯湯タンクユニットにおいて、螺子（１５）を側方からの締め付けとしたことを特徴としている。この請求項３に記載の発明によれば、螺子締めの作業性を良くすることができる。
【００１９】
また、請求項４に記載の発明では、請求項２に記載の貯湯タンクユニットにおいて、螺子（１５）を貯湯タンクユニット（１）本体部の下面側に締め付けるようにしたことを特徴としている。この請求項４に記載の発明によれば、螺子（１５）や配管支持部材（１４）を見えにくくすることができることより、外観の見栄えの向上を図ることができる。
【００２０】
また、請求項５に記載の発明では、請求項１に記載の貯湯タンクユニットにおいて、配管支持部材（１４）を貯湯タンクユニット（１）の本体部に固定したことを特徴としている。この請求項５に記載の発明によれば、本体部のバリエーションによっては配管支持部材（１４）の共通化が可能となる。
【００２１】
また、請求項６に記載の発明では、請求項１に記載の貯湯タンクユニットにおいて、配管支持部材（１４）を貯湯タンクユニット（１）の脚部（１ａ）に固定したことを特徴としている。この請求項６に記載の発明によれば、螺子（１５）や配管支持部材（１４）を見えにくくすることができることより、外観の見栄えの向上を図ることができる。
【００２２】
また、請求項７に記載の発明では、請求項１に記載の貯湯タンクユニットにおいて、配管支持部材（１４）で複数本の配管（１０２、１０３）を支持できるようにしたことを特徴としている。この請求項７に記載の発明によれば、様々な配管取り回しにも容易に対応することができる。
【００２３】
また、請求項８に記載の発明では、請求項１に記載の貯湯タンクユニットにおいて、配管支持部材（１４）で配管（１０２、１０３）を１本づつ支持するようにしたことを特徴としている。この請求項８に記載の発明によれば、小型の配管支持部材（１４）を必要に応じて適した位置に設ける構成としても良い。
【００２４】
また、請求項９に記載の発明では、請求項１に記載の貯湯タンクユニットにおいて、配管支持部材（１４）としてワイヤーを用いたことを特徴としている。この請求項９に記載の発明によれば、配管（１０２、１０３）の支持の仕方に自由度を持たせることができる。
【００２５】
また、請求項１０に記載の発明では、請求項１に記載の貯湯タンクユニットにおいて、配管支持部材（１４）に配管（１０２、１０３）に合わせた受け部（Ｕ）を形成したことを特徴としている。この請求項１０に記載の発明によれば、配管（１０２、１０３）を収まり良く支持することができるうえ、外観の見栄えの向上を図ることができる。
【００２６】
また、請求項１１に記載の発明では、請求項１に記載の貯湯タンクユニットにおいて、配管支持部材（１４）に孔部（Ｈ）を設け、その孔部（Ｈ）に配管（１０２、１０３）を通すことで支持したことを特徴としている。この請求項１１に記載の発明によれば、配管支持部材（１４）を帯板状から、このような板状として構成しても良い。
【００２７】
また、請求項１２に記載の発明では、請求項１に記載の貯湯タンクユニットにおいて、配管支持部材（１４）を溶接（Ｗ）にて固定したことを特徴としている。この請求項１２に記載の発明によれば、施工現場での螺子（１５）による固定作業を無くすことができる。また、外観の見栄えの向上を図ることができる。
【００２８】
また、請求項１３に記載の発明では、請求項１に記載の貯湯タンクユニットにおいて、配管支持部材（１４）の弾性を利用して固定したことを特徴としている。この請求項１３に記載の発明によれば、螺子（１５）による固定作業を無くすことができる。
【００２９】
また、請求項１４に記載の発明では、請求項１３に記載の貯湯タンクユニットにおいて、配管支持部材（１４）側を穴形状としたことを特徴としている。この請求項１４に記載の発明によれば、製作個数の少ない配管支持部材（１４）側の形状が簡素となり、コストを抑えることができる。
【００３０】
また、請求項１５に記載の発明では、請求項１３に記載の貯湯タンクユニットにおいて、配管支持部材（１４）側を凸形状としたことを特徴としている。この請求項１５に記載の発明によれば、貯湯タンクユニット（１）本体部の幅を大きくすることが無い。
【００３１】
また、請求項１６に記載の発明では、請求項１ないし請求項１５に記載の貯湯タンクユニットを用いたことを特徴としている。この請求項１６に記載の発明によれば、１度で全ての設置から接続までを行える貯湯式給湯装置とすることができる。ちなみに、上記各手段の括弧内の符号は、後述する実施形態に記載の具体的手段との対応関係を示す一例である。
【発明を実施するための最良の形態】
【００３２】
（第１実施形態）
以下、本発明の第１実施形態（請求項１〜３、５、７、１６に対応）について添付した図１〜３を用いて詳細に説明する。図１は、本発明の実施形態に係わる貯湯式給湯装置の概略構成を示す模式図である。本貯湯式給湯装置は、図１に示すように、大別して主に貯湯タンク１０を収納した貯湯タンクユニット１と、水加熱手段としてのヒートポンプユニット２０とから成っている。
【００３３】
貯湯タンク１０は、耐食性に優れた、例えばステンレスなどの金属製にて成るタンクであり、外周部に図示しない断熱材が配置されており、給湯用の高温水を長時間に亘って保温することができるようになっている。また貯湯タンク１０は、設置時のスペース効率を考慮して縦長形状としており、その底面には冷水入口１０ａが設けられ、この冷水入口１０ａには貯湯タンク１０内に水道水を導入する給水経路である給水管１０１が接続されている。
【００３４】
一方、貯湯タンク１０の最上部には温水出口１０ｄが設けられ、この温水出口１０ｄには貯湯タンク１０内の高温水を導出するための給湯経路である給湯管１０４が接続されている。この給湯管１０４には、図示しないサーミスタと流量カウンターとが設けられており、サーミスタは給湯管１０４を流れる高温水の温度情報を制御装置３０へ出力し、流量カウンターは給湯管１０４を流れる高温水の流量情報を制御装置３０へ出力するようになっている。
【００３５】
また、給湯管１０４には、流量カウンターより下流側において水道水の給水管１０１が接続されており、この給水管１０１との合流点には、第１温度調節弁１１が配置されている。第１温度調節弁１１は、開口面積比（給湯管１０４に連通する湯側の開度と、給水管１０１に連通する水側の開度との比率）を調節することにより、下流側にある浴槽Ｙに高温水と冷水とを混合して設定温度に調節しながら給湯するようになっている。
【００３６】
また、給湯管１０４と給水管１０１とは第１温度調節弁１１のそれぞれ上流側で分岐されており、その分岐した給湯管１０４と分岐した給水管１０１との合流点には、第２温度調節弁１２が配置されている。この第２温度調節弁１２は、開口面積比（給湯管１０４に連通する湯側の開度と、給水管１０１に連通する水側の開度との比率）を調節することにより、下流側にあるカランやシャワーの混合栓Ｋに、高温水と冷水とを混合して所定温度に調節しながら給湯するようになっている。
【００３７】
また、貯湯タンク１０の下部には、給水管１０１から貯湯タンク１０内に供給された水を流出するための冷水出口１０ｂが設けられ、この冷水出口１０ｂとヒートポンプユニット２０とは本発明で言う配管としての往き管１０２で接続されている。また、貯湯タンク１０の上部には、ヒートポンプユニット２０で加熱された湯が貯湯タンク１０内に流入するための温水入口１０ｃが設けられ、ヒートポンプユニット２０とこの温水入口１０ｃとは本発明で言う配管としての戻り管１０３で接続されている。
【００３８】
冷水出口１０ｂと温水入口１０ｃとは、このように水循環回路で接続されており、この水循環回路の途中にヒートポンプユニット２０が接続されている。ヒートポンプユニット２０内の往き管１０２には図示しない水循環ポンプが設けられている。また、ヒートポンプユニット２０内で水循環ポンプ下流側の水循環回路には、後述する図示しない水冷媒熱交換器が接続されている。
【００３９】
水循環回路の水冷媒熱交換器の上流側および下流側には、図示しないサーミスタが設けられ、このサーミスタは貯湯タンク１０内から水冷媒熱交換器へ流入する水の温度情報と水冷媒熱交換器から貯湯タンク１０内へ戻る高温水の温度情報とを制御装置３０に出力するようになっている。
【００４０】
更に、貯湯タンク１０の外壁面には、複数の図示しないサーミスタが縦方向に所定の間隔を開けて配置され、貯湯タンク１０内の各水位レベルにおける温度情報を後述する制御装置３０へ出力するようになっている。ヒートポンプユニット２０は、本発明における水加熱手段を成すもので、図示しない電動圧縮機、水冷媒熱交換器、膨張弁、送風機を備える冷媒蒸発器が冷媒配管によって順次接続されて閉回路を構成するものである。
【００４１】
電動圧縮機には、図示しないインバータが設けられている。このインバータは、電動圧縮機のモーターに供給する電力を可変して電動圧縮機の回転数（ひいては冷媒吐出量）を可変することができ、制御装置３０によって制御される。ヒートポンプユニット２０は、例えば二酸化炭素（ＣＯ２）を冷媒としており、冷媒を電動圧縮機で高温高圧にして水冷媒熱交換器において貯湯タンク１０から供給される冷水（水道水）との間で熱交換を行い、冷水を所定温度（例えば９０℃）の湯にする。
【００４２】
そして、その高温水を貯湯タンク１０内に貯湯することができるようになっている。そして、制御手段を成す制御装置３０は、図示しないタンクＥＣＵ部とヒートポンプＥＣＵ部と、リモコン３１とから成る。タンクＥＣＵ部は貯湯タンクユニット１内に設けられ、前述した各サーミスタからの温度情報や流量カウンターからの流量情報が入力される。
【００４３】
また、ユーザーによって設定される湯の使用温度や、沸き上げモードなどの情報がリモコン３１からタンクＥＣＵ部に入力される。そして、これらの入力情報に基づいてヒートポンプＥＣＵ部は、ヒートポンプユニット２０、具体的には電動圧縮機のインバータ、膨張弁、送風機、水循環ポンプなどの作動を制御するように構成されている。ちなみにヒートポンプＥＣＵ部は、ヒートポンプユニット２０内に設けられている。
【００４４】
図２は、本発明の第１実施形態における貯湯タンクユニット１の設置例を示し、（ａ）は正面図、（ｂ）は右側面図である。また図３は、図２の貯湯タンクユニット１の設置手順を示す表である。まず基礎工事作業として、簡易基礎４０を設置する地面の地ならし・地固めを行い、そこへ簡易基礎４０を設置する。
【００４５】
この簡易基礎４０は、強度部材４１を貯湯タンクユニット１の脚部１ａが載る部分に配置して貯湯タンクユニット１の満水重量にも耐える強度部分を構成しつつ、その強度部材４１を型枠の一部として中をコンクリートＣで埋めてコンクリート基礎を形成しているため、型枠除去の手間を省くと共に、コンクリートＣの乾燥を待つことなく、簡易基礎４０を設置した当日に貯湯タンクユニット１の設置から配管接続までを行うことができる。
【００４６】
より具体的に簡易基礎４０は、コンクリートブロックなどの強度部材４１の間に、型枠となる合成樹脂板４２を渡し、鉄筋ともなるボルト４３で繋いだものである。なお、強度部材４１は、金属物を合成樹脂で外包したものなどであっても良いし、型枠となる板４２は、アルミニウムやステンレスの金属板や木板などであっても良い。
【００４７】
そして、この強度部材４１と合成樹脂板４２とで囲まれた中にコンクリートＣを打設（流し込み）してコンクリート基礎を形成する。次に、貯湯タンクユニット１の設置作業として、簡易基礎４０の補強部材４１上に貯湯タンクユニット１を載せ、その脚部１ａをアンカー１３で固定する。
【００４８】
次に、その他の機器の設置作業として、室外機やリモコンを設置して電線を接続する。次に、配管１０２・１０３の接続作業として、貯湯タンクユニット１の底部に本発明の配管支持部材１４を渡して螺子１５にて固定する。配管支持部材１４は、アルミニウムやステンレスの金属帯板を加工したものである。なお、本実施形態では螺子１５を側方から締め付けて配管支持部材１４を貯湯タンクユニット１の本体部に固定する構造としている。
【００４９】
そして、配管１０２・１０３を貯湯タンクユニット１の背面側から配管支持部材１４上に載せ、貯湯タンクユニット１の正面側でその配管１０２・１０３と貯湯タンクユニット１との接続を行うものである。なお、本実施形態では貯湯タンクユニット１の下に取り回す配管をヒートポンプユニット２０との間の往き管１０２・戻り管１０３としているが、給水管１０１や給湯管１０４を含めたいずれの複数の配管であっても良い。
【００５０】
次に、本実施形態での特徴と、その効果について述べる。まず、貯湯タンクユニット１と簡易基礎４０との間に配管支持部材１４を設け、配管支持部材１４にて配管１０２・１０３をコンクリートＣと接触しないように支持している。これによれば、配管支持部材１４を設けることで、簡易基礎４０にて貯湯タンクユニット１を設置した直後に、その貯湯タンクユニット１の下に配管１０２・１０３を取り回しても、その配管１０２・１０３を空中に支持して未乾燥のコンクリートＣと接触するのを防止することができる。
【００５１】
このため、配管１０２・１０３の接続のみを後日のコンクリートＣ乾燥後としたり、コンクリートＣが乾燥するまで間に合せの配管支えを渡して配管１０２・１０３が未乾燥のコンクリートＣに触れないようにしておき、後日その配管支えを撤去したりする作業を不要とできる。
【００５２】
つまり、施工現場にもう一度足を運ぶ必要が無くなり、１度で貯湯タンクユニット１の設置から配管１０２・１０３の接続までを行える簡易基礎の利点を生かすことができる。また、配管１０２・１０３の収まりが良くなり、外観の見栄えの向上を図ることができる。
【００５３】
また、配管支持部材１４を螺子１５にて固定している。これによれば、必要に応じて配管支持部材１４を取り付けることができる。また、配管支持部材１４が必要なのはコンクリートＣが乾燥するまでの間であるため、施工現場へ行ったついでに不要となった配管支持部材１４を取り外して他の施工時に使い回しすることもできる。
【００５４】
また、螺子１５を側方からの締め付けとしている。これによれば、螺子締めの作業性を良くすることができる。また、配管支持部材１４を貯湯タンクユニット１の本体部に固定している。これによれば、本体部のバリエーションによっては配管支持部材１４の共通化が可能となる。
【００５５】
また、配管支持部材１４で複数本の配管１０２・１０３を支持できるようにしている。これによれば、様々な配管取り回しにも容易に対応することができる。また、このような貯湯タンクユニット１を用いたこと貯湯式給湯装置としている。これによれば、１度で全ての設置から接続までを行える貯湯式給湯装置とすることができる。
【００５６】
（第２実施形態）
図４は、本発明の第２実施形態（請求項４に対応）における貯湯タンクユニット１正面下方の部分図である。上述した第１実施形態と異なる特徴部分を説明する。本実施形態では、螺子１５を貯湯タンクユニット１本体部の下面側に締め付けるようにしている。これによれば、螺子１５や配管支持部材１４を見えにくくすることができることより、外観の見栄えの向上を図ることができる。
【００５７】
（第３実施形態）
図５は、本発明の第３実施形態（請求項６に対応）における貯湯タンクユニット１正面下方の部分図である。上述した各実施形態と異なる特徴部分を説明する。本実施形態では、配管支持部材１４を貯湯タンクユニット１の脚部１ａに固定している。これによれば、螺子１５や配管支持部材１４を見えにくくすることができることより、外観の見栄えの向上を図ることができる。
【００５８】
（第４実施形態）
図６は、本発明の第４実施形態（請求項８に対応）における貯湯タンクユニット１正面下方の部分図であり、配管支持部材１４を貯湯タンクユニット１本体部に付けた例である。また図７は、図６の第４実施形態の変形例であり、配管支持部材１４を貯湯タンクユニット１の脚部１ａに付けた例である。上述した各実施形態と異なる特徴部分を説明する。本実施形態では、配管支持部材１４で配管１０２・１０３を１本づつ支持するようにしている。これによれば、小型の配管支持部材１４を必要に応じて適した位置に設ける構成としても良い。
【００５９】
（第５実施形態）
図８は、本発明の第５実施形態（請求項９に対応）における貯湯タンクユニット１正面下方の部分図である。上述した各実施形態と異なる特徴部分を説明する。本実施形態では、配管支持部材１４としてワイヤーを用いている。これによれば、配管１０２・１０３の支持の仕方に自由度を持たせることができる。
【００６０】
（第６実施形態）
図９は、本発明の第６実施形態（請求項１０に対応）における貯湯タンクユニット１正面下方の部分図である。上述した各実施形態と異なる特徴部分を説明する。本実施形態では、配管支持部材１４に配管１０２・１０３に合わせた受け部Ｕを形成している。これによれば、配管１０２・１０３を収まり良く支持することができるうえ、外観の見栄えの向上を図ることができる。
【００６１】
（第７実施形態）
図１０は、本発明の第７実施形態（請求項１１に対応）における貯湯タンクユニット１正面下方の部分図である。上述した各実施形態と異なる特徴部分を説明する。本実施形態では、配管支持部材１４に孔部Ｈを設け、その孔部Ｈに配管１０２・１０３を通すことで支持している。これによれば、配管支持部材１４を帯板状から、このような板状として構成しても良い。
【００６２】
（第８実施形態）
図１１は、本発明の第８実施形態（請求項１２に対応）における貯湯タンクユニット１正面下方の部分図である。上述した各実施形態と異なる特徴部分を説明する。本実施形態では、配管支持部材１４を溶接Ｗにて固定している。これによれば、施工現場での螺子１５による固定作業を無くすことができる。また、外観の見栄えの向上を図ることができる。
【００６３】
（第９実施形態）
図１２は、本発明の第９実施形態（請求項１３、１４に対応）における貯湯タンクユニット１正面下方の部分図と、Ａ部の拡大斜視図である。上述した各実施形態と異なる特徴部分を説明する。本実施形態では、配管支持部材１４の弾性を利用して固定している。これによれば、螺子１５による固定作業を無くすことができる。また、配管支持部材１４側を穴（Ｈ）形状としたピン（Ｐ）孔係止としている。これによれば、製作個数の少ない配管支持部材１４側の形状が簡素となり、コストを抑えることができる。
【００６４】
（第１０実施形態）
図１３は、本発明の第１０実施形態（請求項１５に対応）における貯湯タンクユニット１正面下方の部分図と、Ｂ部の拡大斜視図である。上述した各実施形態と異なる特徴部分を説明する。本実施形態では、配管支持部材１４側を凸形状（フック形状Ｆ）としている。これによれば、貯湯タンクユニット１本体部の幅を大きくすることが無い。
【００６５】
（その他の実施形態）
上述の実施形態では、貯湯タンク１０を縦長形状としているが、本発明は上述した実施形態に限定するものではなく、横長形状で床下などに収納する貯湯タンク１０であっても良い。また、上述の実施形態では水加熱手段としてヒートポンプユニット２０を備えているが、これも例えば貯湯タンク１０内に設けた電気ヒータなどの電熱装置であっても良い。
【図面の簡単な説明】
【００６６】
【図１】本発明の実施形態に係わる貯湯式給湯装置の概略構成を示す模式図である。
【図２】本発明の第１実施形態における貯湯タンクユニット１の設置例を示し、（ａ）は正面図、（ｂ）は右側面図である。
【図３】図２の貯湯タンクユニット１の設置手順を示す表である。
【図４】本発明の第２実施形態における貯湯タンクユニット１正面下方の部分図である。
【図５】本発明の第３実施形態における貯湯タンクユニット１正面下方の部分図である。
【図６】本発明の第４実施形態における貯湯タンクユニット１正面下方の部分図であり、配管支持部材１４を貯湯タンクユニット１本体部に付けた例である。
【図７】図６の第４実施形態の変形例であり、配管支持部材１４を貯湯タンクユニット１の脚部１ａに付けた例である。
【図８】本発明の第５実施形態における貯湯タンクユニット１正面下方の部分図である。
【図９】本発明の第６実施形態における貯湯タンクユニット１正面下方の部分図である。
【図１０】本発明の第７実施形態における貯湯タンクユニット１正面下方の部分図である。
【図１１】本発明の第８実施形態における貯湯タンクユニット１正面下方の部分図である。
【図１２】本発明の第９実施形態における貯湯タンクユニット１正面下方の部分図と、Ａ部の拡大斜視図である。
【図１３】本発明の第１０実施形態における貯湯タンクユニット１正面下方の部分図と、Ｂ部の拡大斜視図である。
【図１４】従来のコンクリート基礎への貯湯タンクユニット１の設置例を示す部分図である。
【図１５】簡易基礎４０の概要構成を示す斜視図である。
【図１６】簡易基礎４０への貯湯タンクユニット１の設置例を示す部分図である。
【図１７】図１６の貯湯タンクユニット１の設置手順を示す表である。
【符号の説明】
【００６７】
１…貯湯タンクユニット
１ａ…脚部
１４…配管支持部材
１５…螺子
２０…ヒートポンプユニット（水加熱手段）
４０…簡易基礎
４１…コンクリートブロック（強度部材）
１０２…往き管（配管）
１０３…戻り管（配管）
Ｃ…コンクリート
Ｈ…孔部
Ｕ…受け部
Ｗ…溶接
【図１】
2007198716.tif 000003
【図２】
2007198716.tif 000004
【図３】
2007198716.tif 000005
【図４】
2007198716.tif 000006
【図５】
2007198716.tif 000007
【図６】
2007198716.tif 000008
【図７】
2007198716.tif 000009
【図８】
2007198716.tif 000010
【図９】
2007198716.tif 000011
【図１０】
2007198716.tif 000012
【図１１】
2007198716.tif 000013
【図１２】
2007198716.tif 000014
【図１３】
2007198716.tif 000015
【図１４】
2007198716.tif 000016
【図１５】
2007198716.tif 000017
【図１６】
2007198716.tif 000018
【図１７】
2007198716.tif 000019